(57)【要約】【課題】３温度帯の貯蔵室を持つ冷蔵庫において、各室の温度制御を効率的に行う。【解決手段】冷媒流路の切替手段３６により、冷蔵室用冷却器２０と冷凍室用冷却器２４に冷媒を流すＲ−Ｆ冷却モードと、チルド室用冷却器２８と冷凍室用冷却器２４に冷媒を流すＣ−Ｆ冷却モードと、冷凍室用冷却２４のみに冷媒を流すＦ冷却モードに切り替え可能に構成した上で、Ｒ−Ｆ冷却モード又はＣ−Ｆ冷却モードの運転中に、冷凍室温度センサー３０の検知温度が冷却ＯＦＦ温度に達しても、当該冷却中の冷蔵室又はチルド室温度センサー２６，２８の検知温度が冷却ＯＦＦ温度に達するまでは、Ｒ−Ｆ冷却モード又はＣ−Ｆ冷却モードを延長させるように制御する。【選択図】  図２
2007333299.tif 000002
【特許請求の範囲】
【請求項１】
冷凍室と、該冷凍室よりも高温の第１貯蔵室及び第２貯蔵室を備える冷蔵庫であって、
コンプレッサーと、凝縮器と、冷凍室用冷却器と、第１貯蔵室用冷却器と、第２貯蔵室用冷却器を接続して冷媒流路を構成し、前記第１貯蔵室用冷却器と第２貯蔵室用冷却器を並列に接続するとともに、前記冷凍室用冷却器を前記第１貯蔵室用冷却器と第２貯蔵室用冷却器の下流側に直列に接続して、冷媒流路の切替手段により、前記第１貯蔵室用冷却器と冷凍室用冷却器に冷媒を流す第１冷却モードと、前記第２貯蔵室用冷却器と冷凍室用冷却器に冷媒を流す第２冷却モードに切り替え可能に構成し、
前記冷凍室と第１貯蔵室と第２貯蔵室にそれぞれ温度センサーを設け、
前記第１冷却モード又は第２冷却モードの運転中に、冷凍室温度センサーの検知温度が冷却ＯＦＦ温度に達しても、当該冷却中の第１又は第２貯蔵室温度センサーの検知温度が冷却ＯＦＦ温度に達するまで前記第１冷却モード又は第２冷却モードを延長するようにしたことを特徴とする冷蔵庫。
【請求項２】
前記第１貯蔵室と第２貯蔵室のうちの一方の温度センサーの検知温度が先行して冷却ＯＮ温度に達して当該貯蔵室を冷却する冷却モードに入った後に、他方の温度センサーの検知温度が冷却ＯＮ温度に達しても、前記一方の温度センサーの検知温度が冷却ＯＦＦ温度に達するまで当該冷却モードを持続し、前記一方の温度センサーの検知温度が冷却ＯＦＦ温度に達してから前記他方の温度センサー側の貯蔵室を冷却する冷却モードを開始するようにしたことを特徴とする請求項１記載の冷蔵庫。
【請求項３】
前記コンプレッサーの停止中に、前記第１又は第２貯蔵室温度センサーの検知温度が冷却ＯＮ温度に達したとき、コンプレッサーを起動するとともに、前記切替手段を切り替えて当該温度センサー側の貯蔵室を冷却する冷却モードを開始するようにしたことを特徴とする請求項１又は２記載の冷蔵庫。
【請求項４】
前記第１冷却モード又は第２冷却モードの運転中に、前記冷凍室温度センサーの検知温度が冷却ＯＦＦ温度より設定値以上低下したとき、当該冷却モードを強制終了するようにしたことを特徴とする請求項１〜３のいずれかに記載の冷蔵庫。
【請求項５】
前記第１冷却モード又は第２冷却モードの運転中に、前記冷凍室温度センサーの検知温度が冷却ＯＦＦ温度以下に低下した状態が設定時間以上経過したとき、当該冷却モードを強制終了するようにしたことを特徴とする請求項１〜３のいずれかに記載の冷蔵庫。
【請求項６】
前記コンプレッサーの停止中に、前記第１又は第２貯蔵室温度センサーの検知温度が冷却ＯＮ温度に達した場合でも、前記コンプレッサーが停止してから所定時間経過するまでは、前記コンプレッサーを起動させないようにしたことを特徴とする請求項１〜５のいずれかに記載の冷蔵庫。
【請求項７】
前記切替手段から前記冷凍室用冷却器のみに冷媒が流れる冷媒流路を設け、前記切替手段により、前記第１冷却モードと、前記第２冷却モードと、前記冷凍室用冷却器のみに冷媒を流す第３冷却モードとに切り替え可能に構成し、
前記コンプレッサーを停止する際に、前記切替手段により前記第３冷却モードに切り替えるとともに、前記冷凍室温度センサーの検知温度が冷却ＯＦＦ温度に到達したと判定してから、前記コンプレッサーを停止するようにしたことを特徴とする請求項１〜６のいずれかに記載の冷蔵庫。
【請求項８】
前記冷凍室と第１貯蔵室と第２貯蔵室が、それぞれ前記冷凍室用冷却器と第１貯蔵室用冷却器と第２貯蔵室用冷却器により直冷式で冷却されることを特徴とする請求項１〜７のいずれかに記載の冷蔵庫。
【請求項９】
前記第１貯蔵室が冷蔵室であり、前記第２貯蔵室がチルド室である請求項１〜８のいずれかに記載の冷蔵庫。
【発明の詳細な説明】
【技術分野】
【０００１】
本発明は、冷蔵庫に関し、特に複数の貯蔵室にそれぞれ冷却器を設けたものにおいて各室の温度制御を効率的に行えるようにする冷蔵庫に関する。
【背景技術】
【０００２】
最近の冷蔵庫には、冷蔵室と冷凍室の他に、チルド室のような温度帯の異なる貯蔵室が設けられる場合がある。このように３ないしそれ以上の温度帯を持つ冷蔵庫において、各室を効率よく冷却するためには、各室に対応する冷却器を設けることが有利であり、そのような冷蔵庫も提案されている（例えば、特許文献１参照）。
【特許文献１】特開２００３−３１４９４５公報
【発明の開示】
【発明が解決しようとする課題】
【０００３】
上記のように３温度帯の貯蔵室を有する冷蔵庫において、各室の温度制御を効率的に行うことは容易ではない。特に、庫内の冷気を強制的に循環させるファンを持たない直冷式の冷蔵庫においては、ファンで温度調整できないことから各室の温度制御が難しい。
【０００４】
例えば、従来の冷凍冷蔵庫においては、一般的に、冷凍室温度センサーによる検知温度でコンプレッサーのＯＮ／ＯＦＦの制御を行い、冷蔵室やチルド室などの温度センサーでは冷媒流路の切替弁の開閉のみを制御するようにしている。
【０００５】
しかしながら、このような制御では、冷蔵室やチルド室の冷却中に冷凍室センサーの検知温度がＯＦＦ温度に達すると、コンプレッサーが停止し、その冷却モードが中断したり、あるいはまた、冷蔵室やチルド室の温度センサーの検知温度がＯＮ温度に達しているのに、冷凍室温度センサーの検知温度がＯＮ温度に達していない場合には、冷凍室温度センサー待ちの状態となり、冷蔵室やチルド室の温度が高くなる問題がある。
【０００６】
本発明は、以上の点に鑑みてなされたものであり、３ないしそれ以上の温度帯の貯蔵室を持つ冷蔵庫において、各室の温度制御をより確実に行うことができる冷蔵庫を提供することを目的とする。
【課題を解決するための手段】
【０００７】
上記課題を解決するために、本発明による冷蔵庫は、冷凍室と、該冷凍室よりも高温の第１貯蔵室及び第２貯蔵室を備える冷蔵庫であって、コンプレッサーと、凝縮器と、冷凍室用冷却器と、第１貯蔵室用冷却器と、第２貯蔵室用冷却器を接続して冷媒流路を構成し、前記第１貯蔵室用冷却器と第２貯蔵室用冷却器を並列に接続するとともに、前記冷凍室用冷却器を前記第１貯蔵室用冷却器と第２貯蔵室用冷却器の下流側に直列に接続して、冷媒流路の切替手段により、前記第１貯蔵室用冷却器と冷凍室用冷却器に冷媒を流す第１冷却モードと、前記第２貯蔵室用冷却器と冷凍室用冷却器に冷媒を流す第２冷却モードに切り替え可能に構成し、前記冷凍室と第１貯蔵室と第２貯蔵室にそれぞれ温度センサーを設け、前記第１冷却モード又は第２冷却モードの運転中に、冷凍室温度センサーの検知温度が冷却ＯＦＦ温度に達しても、当該冷却中の第１又は第２貯蔵室温度センサーの検知温度が冷却ＯＦＦ温度に達するまで前記第１冷却モード又は第２冷却モードを延長するようにしたことを特徴とするものである。
【発明の効果】
【０００８】
本発明によれば、冷凍室よりも高温の第１貯蔵室や第２貯蔵室の冷却が不十分となったり、これら貯蔵室の温度が高くなるのを極力回避することができ、３ないしそれ以上の温度帯の貯蔵室を持つ冷蔵庫において各室の温度制御をより確実に行うことができる。
【発明を実施するための最良の形態】
【０００９】
以下、本発明の実施形態に係る冷蔵庫について図面に基づいて説明する。
【００１０】
（第１実施形態）
図１は、実施形態に係る冷蔵庫１０の縦断面図である。冷蔵庫１０のキャビネット１２には、上段から冷蔵室（Ｒ室）１４、チルド室（Ｃ室）１６、冷凍室（Ｆ室）１８が設けられている。ここで、チルド室１６は、０℃前後で冷蔵するための貯蔵室であるが、冷凍室１８よりも高温で冷蔵室１４と異なる温度帯を持つ貯蔵室であれば、チルド室に限定されるものではない。すなわち、例えば、冷蔵室と、冷凍室と、冷凍室よりも高温の第３室とを備えるものであってもよい。
【００１１】
冷蔵庫１０は、直冷式冷蔵庫であり、冷蔵室１４の背面に冷蔵室用冷却器２０が設けられ、チルド室１６の背面にチルド室用冷却器２２が設けられ、更に、冷凍室１８の空間内に板状の冷凍室用冷却器２４が水平に配されている。そして、各貯蔵室１４，１６，１８には、冷気を強制的に循環させるファンは設けられておらず、各冷却器２０，２２，２４からの伝熱及び冷気の自然対流により、直冷式にて冷却されるように構成されている。
【００１２】
冷蔵室１４の内部には、室内の温度を測定するための冷蔵室温度センサー（以下、Ｒセンサーという）２６が背面に設けられている。また、チルド室１６の内部には、室内の温度を測定するためのチルド室温度センサー（以下、Ｃセンサーという）２８が背面に設けられている。更に、冷凍室１８の内部には、室内の温度を測定するための冷凍室温度センサー（以下、Ｆセンサーという）３０が背面に設けられている。
【００１３】
キャビネット１２の背面底部には、圧縮機、すなわちコンプレッサー（図３〜９では「コンプ」と略記）３２が配される機械室３４が設けられている。機械室３４内には、冷媒流路を切り替えるための切替手段（切替弁）としての四方弁３６が設けられている。
【００１４】
そして、上記のＲセンサー２６、Ｃセンサー２８、Ｆセンサー３０、コンプレッサー３２及び四方弁３６は、マイクロコンピュータよりなる制御装置３８に接続されている。制御装置３８は、例えば１枚の基板よりなり、キャビネット１２の背面上部に設けられる。
【００１５】
次に、図２に基づいて、冷凍サイクルの構造について説明する。
【００１６】
コンプレッサー３２には、凝縮器としてのキャビネット背面コンデンサ４０とキャビネット側面コンデンサ４２が接続され、更に、クリーンパイプ４４とドライヤー４６を経て、四方弁３６に接続されている。
【００１７】
四方弁３６から三股に分かれた冷媒流路の１つは、冷蔵室用キャピラリチューブ４８を経て冷蔵室用冷却器２０に接続されている。また、四方弁３６から分かれた他の１つの冷媒流路は、チルド室用キャピラリチューブ５０を経てチルド室用冷却器２２に接続されている。そして、これらの冷媒流路は１つに合流して冷凍室用冷却器２４に接続されている。また、四方弁３６から分かれた残りの１つの冷媒流路は、冷凍室用キャピラリチューブ５２を経て冷凍室用冷却器２４に接続されている。これにより、冷蔵室用冷却器２０とチルド室用冷却器２２が互いに並列に接続されるとともに、冷凍室用冷却器２４がこれら冷蔵室用冷却器２０とチルド室用冷却器２２の下流側に直列に接続され、更に、四方弁３６から冷凍室用冷却器２４のみに冷媒が流れる冷媒流路が設けられている。
【００１８】
そして、冷凍室用冷却器２４から出た冷媒流路は、アキュムレータ５４を経てコンプレッサー３２に接続されており、これにより、冷凍サイクルが構成されている。
【００１９】
上記の冷蔵庫１０の動作状態について説明する。
【００２０】
冷蔵庫１０は、四方弁３６による冷媒流路の切り替えにより、以下の第１冷却モードと、第２冷却モードと、第３冷却モードとに切り替え可能に構成されている。
【００２１】
（１）第１冷却モード（冷蔵室−冷凍室冷却モード）
四方弁３６を切り替えて、冷媒が、冷蔵室用冷却器２０と冷凍室用冷却器２４に流れるようにする。これにより、冷蔵室１４と冷凍室１８が冷却される。以下、この状態をＲ−Ｆ冷却モードという。
【００２２】
（２）第２冷却モード（チルド室−冷凍室冷却モード）
四方弁３６を切り替えて、冷媒が、チルド室用冷却器２２と冷凍室用冷却器２４に流れるようにする。これにより、チルド室１６と冷凍室１８が冷却される。以下、この状態をＣ−Ｆ冷却モードという。
【００２３】
（３）第３冷却モード（冷凍室冷却モード）
四方弁３６を切り替えて、冷媒が、冷凍室用冷却器２４のみに流れるようにする。これにより、冷凍室１８のみが冷却される。以下、この状態をＦ冷却モードという。
【００２４】
なお、各冷却モードのＯＦＦ中に、自然除霜が行われるようになっているとともに、着霜量が多くなった場合は、ユーザーが電源を遮断するなどして除霜を行うようになっている。
【００２５】
上記３つの冷却モードを持つ冷蔵庫１０の温度制御動作について、図３に基づいて説明する。
【００２６】
コンプレッサー３２の停止中に、Ｒセンサー２６又はＣセンサー２８の検知温度が、所定の冷却ＯＮ温度（冷却を開始すべき温度）に達すると（ステップＳ１）、コンプレッサー３２を起動し（ステップＳ２）、四方弁３６を切り替えて、上記冷却ＯＮ温度のセンサー側の貯蔵室を冷却する冷却モードを開始させる（ステップＳ３）。以下では、Ｒセンサー２６が冷却ＯＮ温度になったとして説明する。従って、上記ステップＳ３では、Ｒ−Ｆ冷却モードとなるように四方弁３６を切り替える。
【００２７】
Ｒ−Ｆ冷却モードでは、Ｒセンサー２６の検知温度が、所定の冷却ＯＦＦ温度（冷却を終了すべき温度）に到達したかのみを判定し（ステップＳ４）、Ｃセンサー２８やＦセンサー３０の検知温度は無視する。そして、Ｒセンサー２６の検知温度が冷却ＯＦＦ温度に到達したら次のステップＳ５に進む。すなわち、Ｒ−Ｆ冷却モード中に、Ｆセンサー３０が冷却ＯＦＦ温度に到達したり、Ｃセンサー２８が冷却ＯＮ温度に到達しても、Ｒセンサー２６が冷却ＯＦＦ温度に到達するまでは、当該Ｒ−Ｆ冷却モードを持続・延長する。
【００２８】
次のステップＳ５では、上記で冷却していなかった側であるＣセンサー２８の検知温度が冷却ＯＮ温度に到達したかどうかを判定し、到達していれば、チルド室用冷却器２２側に四方弁３６を切り替えて、Ｃ−Ｆ冷却モードを開始する（ステップＳ６）。そして、Ｃセンサー２８の検知温度が冷却ＯＦＦ温度に到達してから（ステップＳ７）、Ｆ冷却モードとなるように四方弁３６を切り替える（ステップＳ８）。
【００２９】
次いで、Ｆ冷却モードにおいて、Ｆセンサー３０の検知温度が冷却ＯＦＦ温度に到達してから（ステップＳ９）、コンプレッサー３２を停止して（ステップＳ１０）、冷却モードを終了する。その後、コンプレッサー３２の停止から所定時間（ここでは６分間）経過したか否かを判定し（ステップＳ１１）、所定時間経過してからステップＳ１に戻るようになっている。
【００３０】
以上の制御によるタイミングチャートの１例（通常のコントロール時）を示したのが図４である。図示するように、時刻ｔ１において、Ｒセンサー２６が冷却ＯＮ温度となることで、コンプレッサー３２が起動してＲ−Ｆ冷却モードが開始される。次いで、時刻ｔ２において、Ｒセンサー２６が冷却ＯＦＦ温度となり、Ｃセンサー２８が冷却ＯＮ温度となることで、四方弁３６の切り替えによりＣ−Ｆ冷却モードとなる。そして、時刻ｔ３において、Ｃセンサー２８が冷却ＯＦＦ温度となることで、四方弁３６の切り替えによりＦ冷却モードとなり、時刻ｔ４においてＦセンサー３０が冷却ＯＦＦ温度となることで、コンプレッサー３２が停止して、冷却が終了する。
【００３１】
図５は、上記制御によるタイミングチャートの他の例を示したものである。この場合、時刻ｔ１から開始されたＲ−Ｆ冷却モードは、途中でＦセンサー３０が冷却ＯＦＦ温度に到達しているにもかかわらず、そのままＲ−Ｆ冷却モードを延長し、時刻ｔ２において、Ｒセンサー２６が冷却ＯＦＦ温度となり、Ｃセンサー２８が冷却ＯＮ温度となることで、更にＣ−Ｆ冷却モードを実行している。従って、冷凍室１８は過冷却状態となるものの、冷蔵室１４とチルド室１６を確実に冷却することができる。
【００３２】
ところで、上記ステップＳ５において、それまで冷却していなかった側であるＣセンサー２８の検知温度が冷却ＯＮ温度に到達していない場合には、ステップＳ１２にて、Ｆセンサー３０の検知温度が冷却ＯＦＦ温度に到達したかを判定し、到達していなければ、チルド室１６の冷却を確実にするために、ステップＳ６に入って、上記のＣ−Ｆ冷却モードに移る。一方、ステップＳ１２において、Ｆセンサー３０の検知温度が冷却ＯＦＦ温度に到達していた場合には、冷凍室１８の過冷却を防止するため、ステップＳ８に入り、Ｆ冷却モードに切り替えた後に、コンプレッサー３２を停止させる。
【００３３】
図６は、この場合のタイミングチャートの１例を示したものである。この場合、時刻ｔ１から開始されたＲ−Ｆ冷却モードは、途中でＦセンサー３０が冷却ＯＦＦ温度に到達しているにもかかわらず、そのままＲ−Ｆ冷却モードを延長する。そして、時刻ｔ２において、Ｒセンサー２６が冷却ＯＦＦ温度となることでＲ−Ｆ冷却モードを終了するが、その際、Ｃセンサー２８が冷却ＯＮ温度に達しておらず、かつ、Ｆセンサー３０が冷却ＯＦＦ温度に達しているので、コンプレッサー３２を停止して冷却を終了する。次いで、時刻ｔ３において、Ｃセンサー２８が冷却ＯＮ温度に達することで、コンプレッサー３２を起動してＣ−Ｆ冷却モードを開始し、その後、Ｆセンサー３０が冷却ＯＦＦ温度に到達しているにもかかわらず、そのままＣ−Ｆ冷却モードを持続する。そして、時刻ｔ４において、Ｃセンサー２８が冷却ＯＦＦに到達することでＣ−Ｆ冷却モードを終了し、このとき、Ｒセンサー２６は冷却ＯＮ温度に達していないので、コンプレッサー３２を停止して冷却を終了する。
【００３４】
なお、上記の説明では、ステップＳ１において、先行してＲセンサー２６が冷却ＯＮ温度に到達する場合としたが、Ｃセンサー２８が先行して冷却ＯＮ温度に到達する場合も基本的な制御方法は同じであり、説明は省略する。
【００３５】
一方、ステップＳ１において、Ｒセンサー２６とＣセンサー２８が冷却ＯＮ温度に到達する前に、ステップＳ１３において、Ｆセンサー３０の検知温度が冷却ＯＮ温度に達した場合には、ステップＳ１４においてコンプレッサー３２を起動し、ステップＳ８に入る。すなわち、四方弁３６を切り替えてＦ冷却モードを開始する。
【００３６】
Ｆ冷却モード中では、Ｒセンサー２６やＣセンサー２８の検知温度が冷却ＯＮ温度に到達したかどうか判定し（ステップＳ１５）、Ｆセンサー３０が冷却ＯＦＦ温度に到達する前に、Ｒセンサー２６やＣセンサー２８の検知温度が冷却ＯＮ温度に到達した場合には、ステップＳ３に入って、Ｒ−Ｆ冷却モード又はＣ−Ｆ冷却モードを開始する。
【００３７】
このように、本実施形態では、Ｆ冷却モードよりも、Ｒ−Ｆ冷却モード及びＣ−Ｆ冷却モードを優先することで、冷蔵室１４とチルド室１６の温度が高くなることを確実に回避することができる。
【００３８】
以上よりなる本実施形態によれば、上記のように冷凍サイクルを構成するとともに、その制御として、Ｒ−Ｆ冷却モードやＣ−Ｆ冷却モード中に、冷却中のＲセンサー２６又はＣセンサー２８が冷却ＯＦＦ温度に達する前に、Ｆセンサー３０が冷却ＯＦＦ温度に達しても、コンプレッサー３２を停止せずに、その冷却モードが終わるまでコンプレッサー３２の運転を延長するようにしたので、冷蔵室１４やチルド室１６の冷却が不十分になることを回避することができる。
【００３９】
また、Ｒセンサー２６とＣセンサー２８のうちの一方の検知温度が先行して冷却ＯＮ温度に達して当該貯蔵室を冷却する冷却モードに入った後に、他方の温度センサーの検知温度が冷却ＯＮ温度に達しても、当該一方の温度センサーの検知温度が冷却ＯＦＦ温度に達するまで当該冷却モードを持続し、一方の温度センサーの検知温度が冷却ＯＦＦ温度に達してから前記他方の温度センサー側の貯蔵室を冷却する冷却モードを開始するようにしたので、冷蔵室１４とチルド室１６を所定温度まで確実に冷却することができる。
【００４０】
また、Ｆセンサー３０のみでコンプレッサー３２の起動を制御するのではなく、Ｒセンサー２６やＣセンサー２８によっても、コンプレッサー３２を起動して、直にその冷却モードに入るようにしたので、冷蔵室１４とチルド室１６の温度が高くなることを防止することができる。
【００４１】
また、コンプレッサー３２の停止中に、各温度センサー２６，２８，３０の検知温度が冷却ＯＮ温度に達した場合でも、コンプレッサー３２の停止から所定時間経過するまでは再起動させないようにすることで、コンプレッサー３２の破損を防止することができる。
【００４２】
更に、コンプレッサー３２を停止する際には、必ず、四方弁３６によりＦ冷却モードに切り替えるとともに、Ｆセンサー３０が冷却ＯＦＦ温度に到達したと判定してから、コンプレッサー３２を停止するようにしたので、コンプレッサー３２の停止後に冷媒が流れても、冷凍室用冷却器２４のみに冷媒が流れるため、冷蔵室用冷却器２０やチルド室用冷却器２２での結霜を防止することができる。
【００４３】
以上のように、本実施形態の冷蔵庫１０であると、３つの温度帯の貯蔵室１４，１６，１８を持つものにおいて、ファンにより冷気を強制循環させない直冷式でありながら、適切な温度制御を行うことができる。
【００４４】
ちなみに図９は、比較例に係る制御を示したタイミングチャートであり、この例では、ＦセンサーのみでコンプレッサーをＯＮ／ＯＦＦ制御している。この場合、時刻ｔ１において、Ｒセンサーが冷却ＯＮ温度に到達しているにもかかわらず、Ｆセンサーが冷却ＯＮ温度に到達するまで待たなければならず、時刻ｔ２において、Ｆセンサーが冷却ＯＮ温度に到達してからコンプレッサーを起動し、Ｒ−Ｆ冷却モードを開始している。そのため、冷蔵室の温度が高くなってしまうという問題がある。
【００４５】
（第２実施形態）
図７は、第２実施形態に係る冷蔵庫の温度制御動作を示すフローチャートである。この実施形態は、上記第１実施形態に、冷凍室１８の過冷却防止制御を組み込んだものであり、その他の構成は、特に説明しない限り、第１実施形態と同様である。
【００４６】
上記第１実施形態では、図５や図６にも示されるように、冷蔵室１４やチルド室１６に負荷がかかった場合に、Ｒ−Ｆ冷却モードやＣ−Ｆ冷却モードの時間が長くなり、冷凍室１８の温度が大幅に低下することがある。第２実施形態は、かかる過冷却を抑制するためのものである。
【００４７】
すなわち、この例では、図７に示すように、Ｒ−Ｆ冷却モード又はＣ−Ｆ冷却モードの運転中に（ステップＳ４、Ｓ７）、Ｆセンサー３０の検知温度が冷却ＯＦＦ温度より設定値以上（例えば、冷却ＯＦＦ温度よりも５℃以上低い温度）低下するか、又は、冷却ＯＦＦ温度以下に低下した状態が設定時間以上経過したときには、当該冷却モードを強制終了させるようにステップＳ８に進む（ステップＳ１６，Ｓ１７）。つまり、この場合は、冷却中のＲセンサー２６又はＣセンサー２８が冷却ＯＦＦ温度まで到達していないにもかかわらず、その冷却モードを中止してコンプレッサー３２を停止することを特徴とする。なお、この場合にも、コンプレッサー３２を停止する際には、四方弁３６をＦ冷却モード側に切り替えてから停止させる。
【００４８】
図８は、この制御によるタイミングチャートの１例を示したものであり、時刻ｔ１において、Ｒセンサー２６が冷却ＯＮ温度となることで、コンプレッサー３２が起動してＲ−Ｆ冷却モードが開始される。次いで、時刻ｔ２において、Ｒセンサー２６が冷却ＯＦＦ温度となり、Ｃセンサー２８が冷却ＯＮ温度となることで、四方弁３６の切り替えによりＣ−Ｆ冷却モードとなる。かかるＣ−Ｆ冷却モード中で、Ｆセンサー３０が冷却ＯＦＦ温度に達するが、すぐにはＣ−Ｆ冷却モードは終了せず、そのまま持続する。そして、時刻ｔ３において、Ｆセンサー３０が冷却ＯＦＦ温度より設定値以上低下するか、又は、冷却ＯＦＦ温度以下に低下した状態が設定時間以上経過することで、コンプレッサー３２を強制終了させる。次いで、時刻ｔ４において、Ｃセンサー２８が冷却ＯＮ温度に達することで、コンプレッサー３２を起動してＣ−Ｆ冷却モードを開始し、その後、時刻ｔ５において、Ｃセンサー２８が冷却ＯＦＦに到達することでＣ−Ｆ冷却モードを終了して、コンプレッサー３２を停止させる。
【００４９】
このようにＲ−Ｆ冷却モードやＣ−Ｆ冷却モードを、一旦は延長させながら、その状態が所定以上続いたときに強制終了させることで、かかる延長によって生じる冷凍室１８の急激な温度の落ち込みを防ぐことができる。
【００５０】
以上より、本実施形態によれば、各貯蔵室１４，１６，１８の温度が高くなったり、過冷却になることを抑えることができる。また、過冷却を防止することで、省エネルギーにもつながる。
【００５１】
（他の実施形態）
（１）上記実施形態においては、冷蔵室１４（第１貯蔵室）とチルド室１６（第２貯蔵室）と冷凍室１８とからなる３温度帯の冷蔵庫について説明したが、本発明では、３つの温度帯の貯蔵室には限定されず、第３貯蔵室、第４貯蔵室などを設けて、それぞれに冷却器を設けるようにしてもよい。
【００５２】
（２）上記第２実施形態においては、Ｒ−Ｆ冷却モードやＣ−Ｆ冷却モードを強制終了した後に、再度、冷却モードを開始する際、Ｒセンサー２６とＣセンサー２８を区別することなく、冷却ＯＮ温度に到達した温度センサーに基づいて、コンプレッサー３２を起動するようにしている。これに代えて、強制終了後には、冷却途中にあった貯蔵室の温度センサーが冷却ＯＮ温度の場合に、その冷却モードを再開するように制御してもよい。
【００５３】
その場合、より詳細には、コンプレッサー３２の停止後に、当該停止が上記強制終了によるものかどうかを判定し、強制終了である場合、その温度センサーの冷却ＯＮ温度到達を待って、元の冷却モードに戻るように、すなわち、コンプレッサー３２の起動後、四方弁３６を元の冷却モード側に切り替えてから、ステップＳ４又はステップＳ７に入るように、制御すればよい。なお、このように制御する場合には、ステップＳ５及びＳ１２は省略しても、図８に示すタイミングチャートのように動作させることができる。
【図面の簡単な説明】
【００５４】
【図１】本発明の実施形態に係る冷蔵庫の縦断面図である。
【図２】実施形態における冷凍サイクルの概略図である。
【図３】第１実施形態における温度制御のフローチャートである。
【図４】第１実施形態の制御のタイミングチャートの一例である。
【図５】第１実施形態の制御のタイミングチャートの他の例である。
【図６】第１実施形態の制御のタイミングチャートの更に他の例である。
【図７】第２実施形態における温度制御のフローチャートである。
【図８】第２実施形態の制御のタイミングチャートの一例である。
【図９】比較例にかかる制御のタイミングチャートの一例である。
【符号の説明】
【００５５】
１０…冷蔵庫
１４…冷蔵室（第１貯蔵室）
１６…チルド室（第２貯蔵室）
１８…冷凍室
２０…冷蔵室用冷却器（第１貯蔵室用冷却器）
２２…チルド室用冷却器（第２貯蔵室用冷却器）
２４…冷凍室用冷却器
２６…冷蔵室温度センサー（Ｒセンサー）
２８…チルド室温度センサー（Ｃセンサー）
３０…冷凍室温度センサー（Ｆセンサー）
３２…コンプレッサー
３６…四方弁（切替手段）
【図１】
2007333299.tif 000003
【図２】
2007333299.tif 000004
【図３】
2007333299.tif 000005
【図４】
2007333299.tif 000006
【図５】
2007333299.tif 000007
【図６】
2007333299.tif 000008
【図７】
2007333299.tif 000009
【図８】
2007333299.tif 000010
【図９】
2007333299.tif 000011